(57)【要約】【課題】  ソレノイドを使用した制御機構の構造を簡単にすることができると共に、その作動を安定にすることができるソレノイドの行程制限機構を提供する。【解決手段】  ソレノイド１の外面に、プランジャ２の中心軸に平行な規制板８を装着し、この規制板８にプランジャ２の長さ方向に沿う長孔を開口させ、この長孔に、プランジャの外側面に突設された連結ピン１２を係合させる。【選択図】  図２
2005090088.tif 000002
【特許請求の範囲】
【請求項１】
ソレノイドの外面に、プランジャの中心軸に平行な規制板を装着し、この規制板にプランジャの長さ方向に沿う長孔を開口させ、この長孔に、プランジャの外側面に突設された連結ピンを係合させたことを特徴とするソレノイドの行程制限機構。
【発明の詳細な説明】
【技術分野】
【０００１】
この発明は、ソレノイドの行程制限機構（以下単に制限機構という）に係り、特に、ソレノイドを使用した制御機構の構造を簡単にし、その作動を安定化することができる制限機構に関する。
【背景技術】
【０００２】
本出願人は、先に、後記特許文献１を以て、新規な電気錠の作動モード切換え機構を提案した。
【０００３】
通常、マンションの共用玄関やビルの通用口には、通電時解錠型の電気錠が装着される。それは、通用口用電気錠は防犯性を重視しており、停電時施錠した方が安全だからである。
【０００４】
一方、建物やビルの非常口には、通常、通電時施錠型の電気錠が装備される。それは、地震や火災により停電したとき電気錠が施錠されると、非常口から外に出ようとする人が閉じ込められて危険だから、停電時には解錠するような機構を採っているわけである。
【０００５】
従来の電気錠は、作動モードが異なるわけだから、通電時解錠型の電気錠と通電時施錠型の電気錠とは当然内部の機構が異なっていた。
【０００６】
しかしながら、用途によって電気錠の内部構造を変えて複数の電気錠を製造販売することは、錠前のメーカーにとって当然製造コストの上昇や製造管理上の煩雑さを招くばかりでなく、ユーザーや施工業者にとっても同じ煩雑さがある。
【０００７】
上記特許文献１によって提案された作動モード切換え機構は、同一の機構の電気錠を、必要に応じて通電時解錠型と通電時施錠型に切換えることができるようにしたもので、次にその機構の作動原理を簡単に説明する。
【０００８】
図１（ａ）において、符号１はソレノイドを、符号２はソレノイド通電時吸引されるプランジャを、符号３、４は夫々機枠に固定された揺動軸及びアーム軸を示し、揺動軸３には揺動レバー５の中央部が、アーム軸４には一端部にＶ字形部を形成した施解錠アーム６が夫々回動自在に支承されている。
【０００９】
揺動レバー５の一端は上記施解錠アーム６のＶ字形部の谷部に係合しており、他端は、上記プランジャ２の先端にリンク結合されている。
【００１０】
また、上記揺動レバー５は、揺動軸３に巻装された図示しない捩りコイルばねの弾力により、図１において反時計方向に付勢されているものとする。
【００１１】
上記した構成及びソレノイド１の装着位置において、（ａ）に示すようにソレノイド１が通電され、揺動レバー５がほぼ直立した状態で施解錠アーム６の一端の谷部に係合しているとき、施解錠アーム６が施錠角度位置にあるとすれば、図１の（ａ）は通電時施錠型の施錠状態を示す。
【００１２】
一方、図１の（ａ）の状態においてソレノイド１の通電を断つと、（ｂ）に示すように揺動レバー５の付勢力によりプランジャ２が引出され、揺動レバー５は反時計方向に一定角度回動する。
【００１３】
このとき、揺動レバー５の一端（上端）が施解錠アームのＶ字形部の左方の斜辺部を押動するから、施解錠アーム６は時計方向に回動する（図示せず）。
【００１４】
この施解錠アーム６の回動を利用して、施解錠アームの他端部（下端部）により錠止部材を解錠するとすれば、図１の（ａ）及び（ｂ）は通電時施錠型の電気錠の施錠及び解錠状態を夫々示すことになる。
【００１５】
一方、図１の（ｃ）に示すように、ソレノイド１への通電を断った侭で、ソレノイド１全体をプランジャ２のストローク分揺動軸３から離間させ、その状態で固定させると、揺動レバー５は他端が左方に駆動されるから、図１の（ａ）と同様にほぼ直立し、このとき施解錠アーム６は反時計方向に回動して施錠角度位置となる（図示せず）。
【００１６】
図１の（ｃ）の状態からソレノイド１に通電すると、（ｄ）に示すように揺動レバー５が時計方向に回動し、その一端が施解錠アームのＶ字形部の右方の斜辺部を押動するから、施解錠アーム６は時計方向に回動する（図示せず）。
【００１７】
すなわち、図１の（ｃ）及び（ｄ）は夫々通電時解錠型の電気錠の施錠状態及び解錠状態を示し、このようにして、前記特許文献１に記載の作動モード切換え機構は、ソレノイド１と揺動レバー５の間隔をプランジャのストローク分変化させるだけで電気錠を通電時解錠型と通電時施錠型に切換えることができる。
【００１８】
なお、ソレノイド１の位置の切換え機構、或いは施解錠アームの他端以降の係合部材等、作動モード切換え機構の具体的な構成は、特許文献１に詳細に記載されているから、ここでは更に詳細な説明は省略する。
【特許文献１】特開２００２−０６１４３２号公報
【発明の開示】
【発明が解決しようとする課題】
【００１９】
上記した作動モード切換え機構に限らず、ソレノイドを利用して機構を制御する一般の機構は、ソレノイドに通電したときの被制御部材（図１においては揺動レバー５）の位置は比較的正確に設定できる。
【００２０】
しかしながら、ソレノイドは一方向にしかプランジャを駆動できないから、ソレノイドに通電しないときの被制御部材の位置をソレノイド側では設定できず、例えば上述したように揺動レバーを捩りコイルばねにより予め反時計方向に付勢しておき、一方、図１（ａ）に示すように、施解錠アームの一部に扇形の角度規制窓７を開口させ、機枠に植設され、この角度規制窓と係合する図示しない規制ピンにより、間接的に揺動レバーの角度位置を規制する他ない。
【００２１】
そのため、先ず第一に機構が複雑になる。図１−（ａ）においては、図面を明瞭にするため、施解錠アーム６は１個しか描かれていないが、実際には室内用及び室外用に夫々１個、合計２個の施解錠アーム６が設けられているので、機構や組立時の調整は更に複雑になる。
【００２２】
加えて、ソレノイドに通電してプランジャを吸引するときその吸引を確実にするため、プランジャを引出す力を小さめに設定するのが普通であり、一方、ソレノイドへの通電を断ったときの被制御部材の作動を、上記小さめに設定した作動力で確実にするため、被制御部材の行程を少し大きめにする、換言すれば、プランジャの引出し量を大きく設定する。
【００２３】
すると、ソレノイドはプランジャを吸引し難くなるのでここに悪循環が生じ、作動が不安定になる。プランジャを引出すための力を小さめに設定した場合、機構の長期間の使用により摩擦抵抗が増大したときにも、同様に作動が不安定になる。
【００２４】
そこで、この発明は、ソレノイドを使用した制御機構の構造を簡単にすることができると共に、その作動を安定にすることができる制限機構を提供することを目的としている。
【課題を解決するための手段】
【００２５】
上記の目的を達成するため、請求項１に記載の発明は、ソレノイドの外面に、プランジャの中心軸に平行な規制板を装着し、この規制板にプランジャの長さ方向に沿う長孔を開口させ、この長孔に、プランジャの外側面に突設された連結ピンを係合させたことを特徴とする。
【発明の効果】
【００２６】
上記のように構成された制限機構は、ソレノイドによって制御される機構側に行程の規制機構を設ける必要がないから、制御機構の構造が簡単になり、また、組み立て、調整も簡単になる。
【００２７】
また、プランジャを吸引する距離を最小に設定できてプランジャの吸引が確実になるから、プランジャを引出す力も大きく設定できることとも相俟て、制御機構の作動が格段に安定化される。
【発明を実施するための最良の形態】
【００２８】
ソレノイドへの通電の断続による制御機構の行程制御を、プランジャの行程を制限することにより少ない部品点数で可能にし、制御機構の作動を安定化した。
【実施例１】
【００２９】
図２において符号１は前述のソレノイドを示し、このソレノイド１のプランジャ２が出没する外面に、断面Ｌ字形に折曲され、プランジャ２の中心軸に平行な規制板８（図２参照）がビス９止めされている。
【００３０】
この規制板８の装着位置は、例えばこのソレノイドを前記電気錠の作動モード切換え機構に適用する場合、図１におけるプランジャ２の下側とする。
【００３１】
この規制板８には、プランジャ２の長さ方向（図２及び図３で上下方向）に沿う矩形の長孔１１が開口している。
【００３２】
上記長孔１１には、プランジャの外側面に突設された連結ピン１２が係合している。図示の実施例における連結ピンは、前記揺動レバー５の他端をプランジャ２の先端部にリンク結合する割りピンを、図２において左側に延長させ、その延長部分を連結ピン１２とする。
【００３３】
そして、規制板の長孔１１の長さ、すなわち、長孔１１のプランジャ２の長さ方向の寸法は、この発明を前記電気錠の作動モード切換え機構に適用する場合、図１（ａ）、（ｂ）の通電時施錠型の作動モードにおいて、連結ピン１２が図３における長孔１１の下側の開口縁に当接するとき、（ａ）に示すように揺動レバー５が直立し、連結ピン１２が上側の開口縁に当接するとき、（ｂ）に示すように揺動レバーが反時計方向に所定の角度傾くように設定する。
【図面の簡単な説明】
【００３４】
【図１】本出願人の先の出願に係る電気錠の作動モード切換え機構の作動を説明するための線図。
【図２】本発明の要部を示すソレノイドの側面図。
【図３】図２のＩＩＩ−ＩＩＩ線から見た規制板の正面図。
【符号の説明】
【００３５】
１  ソレノイド
２  プランジャ
３  揺動軸
４  アーム軸
５  揺動レバー
６  施解錠アーム
８  規制板
１１  長孔
１２  連結ピン
【図１】
2005090088.tif 000003
【図２】
2005090088.tif 000004
【図３】
2005090088.tif 000005